(57)【要約】      （修正有）【課題】清掃機能を向上可能な管楽器用掃除具を提供する。【解決手段】管楽器の内部に挿入されて管楽器を清掃し、かつ、袋状の本体１０Ａを有する管楽器用掃除具１０において、本体１０Ａは、厚さ方向に重ねられた複数、かつ、シート状の構成部材１１、１２、１３と、複数の構成部材１１、１２、１３同士を縫合した縫合部２１、２４と、を有し、複数の構成部材１１、１２、１３のそれぞれを構成する生地は、たて糸とよこ糸とを有し、複数の構成部材１１、１２、１３のそれぞれの長縁１４、１６、１８、及び短縁１５は、厚さ方向に対して垂直な平面視で、生地のたて糸に沿った第１方向、及び生地のよこ糸に沿った第２方向に対して傾斜されている。【選択図】図１
0003232071.tif 000002
【実用新案登録請求の範囲】
【請求項１】
管楽器の内部に挿入されて前記管楽器を清掃し、かつ、袋状の本体を有する管楽器用掃除具において、
前記本体は、
厚さ方向に重ねられたシート状、かつ、複数の構成部材と、
前記複数の構成部材同士を縫合した縫合部と、
を有し、
前記複数の構成部材のそれぞれを構成する生地は、たて糸とよこ糸とを有し、
前記複数の構成部材のそれぞれの外縁は、前記厚さ方向に対して垂直な平面視で、前記生地の前記たて糸に沿った第１方向、及び前記生地の前記よこ糸に沿った第２方向に対して傾斜されている、管楽器用掃除具。
【請求項２】
請求項１記載の管楽器用掃除具において、
前記複数の構成部材は、
前記平面視における形状が方形である２枚の第１構成部材と、
前記平面視における形状が方形であり、かつ、２枚の前記第１構成部材よりも面積が狭い２枚の第２構成部材と、
前記平面視における形状が方形であり、かつ、２枚の前記第２構成部材よりも面積が狭い２枚の第３構成部材と、
を有し、
前記本体のうち、前記管楽器の内部へ挿入される方向の先端に位置する先端部では、２枚の前記第３構成部の間で２枚の前記第２構成部が重なり、かつ、２枚の前記第２構成部の間で２枚の前記第１構成部が重なり、
前記本体のうち、前記管楽器の内部へ挿入される方向で前記先端部よりも後方に位置する中央部では、２枚の前記第２構成部の間で２枚の前記第１構成部が重なり、
前記本体のうち、前記管楽器の内部へ挿入される方向で前記中央部よりも後方に位置する後端部では、２枚の前記第１構成部が重なっている、
管楽器用掃除具。
【考案の詳細な説明】
【技術分野】
【０００１】
本考案は、管楽器の内部を清掃するための管楽器用掃除具に関する。
【背景技術】
【０００２】
管楽器の内部を清掃するための管楽器用掃除具の一例が、特許文献１に記載されている。特許文献１に記載された管楽器用掃除具は、支持棒が挿入される円筒状の挿入部と、挿入部から外周方向に延設され、その先端が管楽器の管の内周面に接触する接触部と、を有する清掃布を備えている。清掃布の長手方向先端部には、接触部と略直角な清掃端が設けられている。特許文献１に記載された管楽器用掃除具によれば、フルートの頭部管のごとく、管内が貫通せず、閉塞端を有するような構造であったとしても、その閉塞端周囲に付着した水分を清掃布の清掃端によって十分に吸収し、清掃することが可能となる、とされている。
【先行技術文献】
【特許文献】
【０００３】
【特許文献１】実用新案登録第３１５８４５７号公報
【考案の概要】
【考案が解決しようとする課題】
【０００４】
本願考案者は、特許文献１に記載されている管楽器用掃除具は、清掃機能の点で未だ改善の余地がある、という課題を認識した。
【０００５】
本考案の目的は、清掃機能を向上可能な管楽器用掃除具を提供することである。
【課題を解決するための手段】
【０００６】
一実施形態の管楽器用掃除具は、管楽器の内部に挿入されて前記管楽器を清掃し、かつ、袋状の本体を有する管楽器用掃除具において、前記本体は、厚さ方向に重ねられたシート状、かつ、複数の構成部材と、前記複数の構成部材同士を縫合した縫合部と、を有し、前記複数の構成部材のそれぞれを構成する生地は、たて糸とよこ糸とを有し、前記複数の構成部材のそれぞれの外縁は、前記厚さ方向に対して垂直な平面視で、前記生地のたて糸に沿った第１方向、及び前記生地のよこ糸に沿った第２方向に対して傾斜されている。
【考案の効果】
【０００７】
一実施形態の管楽器用掃除具によれば、生地の糸が立ち上がるため、清掃機能が向上する。
【図面の簡単な説明】
【０００８】
【図１】（Ａ）は、本実施形態における掃除具の平面図、（Ｂ）は、掃除具の正面図である。
【図２】（Ａ）は、掃除具の本体を構成する第１構成部材、第２構成部材及び第３構成部材を縫合する前の斜視図、（Ｂ）は、掃除棒の平面図である。
【図３】（Ａ）は、掃除具へ掃除棒を挿入した平面図、（Ｂ）は、掃除具へ掃除棒を挿入した右側面図である。
【図４】（Ａ）は、管楽器の一例であるフルートの分解図、（Ｂ）は、掃除具でフルートの部品を清掃する模式図である。
【図５】生地を裁断して得た第１構成部材、第２構成部材及び第３構成部材の平面図である。
【考案を実施するための形態】
【０００９】
以下、管楽器用掃除具の一実施形態を図面に基づいて詳細に説明する。なお、管楽器用掃除具の実施形態を説明するための各図において、同一要素、同一構造、同一部位には原則として同一の符号を付し、その繰り返しの説明は省略する。
【００１０】
図１（Ａ）に示された掃除具１０は、管楽器用掃除具の一実施形態である。掃除具１０は、管楽器の一例であるフルートの内部を掃除するためのものである。掃除具１０は、袋状の本体１０Ａを有する。本体１０Ａは、図２（Ａ）に示されるシート状の第１構成部材１１を２枚、シート状の第２構成部材１２を２枚、シート状の第３構成部材１３を２枚有する。また、本体１０Ａは、第１構成部材１１と第２構成部材１２とを縫合し、第２構成部材１２と第３構成部材１３とを縫合したものである。第１構成部材１１、第２構成部材１２及び第３構成部材１３は、何れもガーゼと生地とを重ね合わせて接合した２重素材である。
【００１１】
図５に示すように、生地３３は、たて糸３４とよこ糸３５とを交互に織って作られている織物生地である。たて糸３４が通っている方向Ａ１である「たて地」と、よこ糸３５が通っている方向Ａ２である「よこ地」とは、生地３３の平面視で略９０度の角度で交差している。生地３３としては、例えば、ブロード生地、シーチング生地、オックス生地、キルティング生地、タフタ生地等を用いることができる。
【００１２】
第１構成部材１１は、厚さ方向（重ね方向）に対して垂直な平面視で四角形、具体的には長方形であり、第１構成部材１１は、互いに平行な２つ長縁１４と、互いに平行な２つの短縁１５とを有する。長縁１４と短縁１５とは、略直角である。長縁１４及び短縁１５は、生地３３が裁断されて形成されたものである。長縁１４及び短縁１５は、方向Ａ１，Ａ２に対して傾斜、例えば、略４５度の角度で傾斜している。このように、第１構成部材１１は、製造過程で生地３３の方向Ａ１及び方向Ａ２に対してバイアス方向（交差する方向）に裁断されている。
【００１３】
第２構成部材１２は、厚さ方向（重ね方向）に対して垂直な平面視で四角形、具体的には長方形であり、第２構成部材１２は、互いに平行な２つ長縁１６と、互いに平行な２つの短縁１７とを有する。長縁１６と短縁１７とは、略直角である。長縁１６及び短縁１７は、生地３３が裁断されて形成されたものである。長縁１６及び短縁１７は、方向Ａ１，Ａ２に対して傾斜、例えば、略４５度の角度で傾斜している。このように、第２構成部材１２は、製造過程で生地３３のたて地及びよこ地に対してバイアス方向に裁断されている。第２構成部材１２は、厚さ方向（重ね方向）に対して垂直な平面視で、２枚の第２構成部材１２のそれぞれの面積は、第１構成部材１１のそれぞれの面積より狭い。
【００１４】
第３構成部材１３は、厚さ方向（重ね方向）に対して垂直な平面視で四角形、具体的には長方形であり、第３構成部材１３は、互いに平行な２つ長縁１８と、互いに平行な２つの短縁１９とを有する。長縁１８と短縁１９とは、略直角である。長縁１８及び短縁１９は、生地３３が裁断されて形成されたものである。長縁１８及び短縁１９は、方向Ａ１，Ａ２に対して傾斜、例えば、略４５度の角度で傾斜している。このように、第３構成部材１３は、製造過程で生地３３のたて地及びよこ地に対してバイアス方向に裁断されている。第３構成部材１３は、厚さ方向（重ね方向）に対して垂直な平面視で、２枚の第３構成部材１３のそれぞれの面積は、第２構成部材１２のそれぞれの面積より狭い。なお、第１構成部材１１、第２構成部材１２及び第３構成部材１３に用いる生地（布材）３３及びガーゼは、伸縮性を有していてもよい。
【００１５】
２枚の第１構成部材１１、２枚の第２構成部材１２、２枚の第３構成部材１３の寸法は、図２（Ｂ）に示す掃除棒（支持部材）２０の長さ等に応じて定められる。例えば、掃除棒２０の長さＬ１が７０ｃｍであると、第１構成部材１１の長縁１４の長さＬ２が７０ｃｍ、短縁１５の長さＬ３が４．５ｃｍ、第２構成部材１２の長縁１６の長さＬ４が２２ｃｍ、短縁１７の長さＬ５が４．５ｃｍに設定され、第３構成部材１３の長縁１８の長さＬ６は１５ｃｍ、短縁１９の長さＬ７が２．２５ｃｍに設定される。
【００１６】
また、掃除棒２０の長さＬ１が３５ｃｍであると、長さＬ２が３５ｃｍ、長さＬ３が４．５ｃｍ、長さＬ４が２２ｃｍ、長さＬ５が４．５ｃｍ、長さＬ６が８ｃｍ、長さＬ７が２．２５ｃｍに設定される。なお、掃除棒２０の材質は、合成樹脂製、木材製の何れでもよい。
【００１７】
まず、第３構成部材１３は、第２構成部材１２に重ねられている。第３構成部材１３の短縁１９と、第２構成部材１２の短縁１７とが同一線上になるように、第３構成部材１３と第２構成部材１２とが重ねられている。第３構成部材１３は、第２構成部材１２の短縁１７に沿った方向で略中央に位置する。つまり、図１（Ａ）のように掃除具１０を平面視すると、第３構成部材１３の配置領域の全部は、第２構成部材１２の配置領域内にある。そして、１枚の第３構成部材１３と１枚の第２構成部材１２とを糸によって固定した縫合部２１が設けられている。縫合部２１は、長縁１８と平行に設けられている。
【００１８】
さらに、第３構成部材１３が固定された第２構成部材１２は、第１構成部材１１に重ねられている。第２構成部材１２の長縁１６と、第１構成部材１１の長縁１４とが同一線上になり、かつ、第２構成部材１２の１箇所の短縁１７と、第１構成部材１１の１箇所の短縁１５とが同一線上になるように、第２構成部材１２と第１構成部材１１とが重ねられている。また、第２構成部材１２と第２構成部材１２との間に、２枚の第１構成部材１１が挟まれている。２枚の第１構成部材１１の平面視で、短縁１５同士が同一線上になり、かつ、長縁１４同士が同一線上になるように、２枚の第１構成部材１１が重ねられる。
【００１９】
また、第１構成部材１１の長縁１４に沿った方向の端部には、短縁１５と平行な箇所で折り返された第１折り返し部２２が設けられている。第１構成部材１１の長縁１４に沿った方向の端部が、短縁１５と平行な箇所で折り返された第２折り返し部２３が設けられている。第１折り返し部２２を設けるために第１構成部材１１の端部が折り返された向きと、第２折り返し部２３を設けるために第１構成部材１１の端部が折り返された向きとは、逆である。また、長縁１４に沿った方向で、第１折り返し部２２と第２折り返し部２３の位置が異なっている。
【００２０】
さらに、図１（Ａ）のように、２枚の第１構成部材１１と２枚の第２構成部材１２とを、糸によって固定した２箇所の縫合部２４、及び縫合部２５が設けられている。２箇所の縫合部２４は、長縁１４と平行に、かつ、短縁１５に沿った方向で間隔をおいて２箇所に設けられている。２箇所の縫合部２４は、第１折り返し部２２及び第２折り返し部２３も縫合して固定している。また、縫合部２５は、短縁１５と平行に設けられている。掃除具１０を平面視すると、第２構成部材１２と第３構成部材１３とを固定した縫合部２１は、縫合部２４と縫合部２４との間に設けられ、かつ、第１折り返し部２２と縫合部２５との間に設けられている。
【００２１】
このようにして、掃除具１０が完成されている。掃除具１０は、完成後に洗浄されるか、または、掃除具１０の製造過程で、第１構成部材１１、第２構成部材１２及び第３構成部材１３が、それぞれ洗浄されている。完成された掃除具１０は、図１（Ａ）及び図３（Ｂ）のように、縫合部２４と縫合部２４との間であり、かつ、第１構成部材１１と第１構成部材１１との間に、挿入穴２６が設けられている。挿入穴２６は、第１折り返し部２２と第２折り返し部２３との境界箇所に開口部２７を有する。挿入穴２６における開口部２７とは反対側の箇所は、縫合部２５によって閉じられている。図１（Ａ）のように、掃除具１０は、縫合部２５から、縫合部２５から最も離れた端部２８までの長さＬ８が、掃除棒２０の長さＬ１未満である。
【００２２】
掃除具１０の清掃対象であるフルートの構造を、図４（Ａ）を参照して説明する。フルート２９は、頭管部３０、胴管部（主管）３１、足管部３２等の部品を有する。頭管部３０、胴管部３１、足管部３２は、それぞれ別要素である。頭管部３０の一端が胴管部３１内へ挿入され、胴管部３１の一端が足管部３２内へ挿入されると、フルート２９が組み立てられる。フルート２９を清掃する場合は、清掃者が、頭管部３０の一端を胴管部３１から抜き出し、かつ、胴管部３１の一端を足管部３２から抜き出すことにより、フルート２９が分解される。
【００２３】
また、清掃者が掃除棒２０を、図３（Ａ）のように、掃除具１０の開口部２７から挿入穴２６へ進入させ、掃除棒２０の先端を縫合部２５へ突き当てる。そして、清掃者が図４（Ｂ）のように、掃除具１０を、頭管部３０、胴管部３１、足管部３２の何れかの部品の内部（管内）へ挿入させると、第１構成部材１１、第２構成部材１２及び第３構成部材１３は布製であるため、掃除具１０が変形する。
【００２４】
さらに、清掃者が、部品の内部で掃除具１０を回転させる操作、掃除具１０を長さ方向に往復させる操作、掃除具１０を部品の反対側から抜き出す操作、のうち少なくとも１つの操作を行うと、掃除具１０が部品の内面を擦り、掃除具１０が部品内の異物を除去、例えば、水分を吸収する。このようにして、掃除具１０を用いて掃除具１０を、頭管部３０、胴管部（主管）３１、足管部３２の掃除及び手入れを行うことができる。
【００２５】
本実施形態の掃除具１０は、第１構成部材１１は、製造過程で生地３３のたて地及びよこ地に対してバイアス方向に裁断されて、長縁１４及び短縁１５が形成されている。第２構成部材１２は、製造過程で生地３３のたて地及びよこ地に対してバイアス方向に裁断されて、長縁１６及び短縁１７が形成されている。第３構成部材１３は、製造過程で生地３３のたて地及びよこ地に対してバイアス方向に裁断されて、長縁１８及び短縁１９が形成されている。このため、生地３３の糸が立ち上がっており、掃除具１０が部品の内面を擦った場合に、掃除具１０の清掃機能が向上する。
【００２６】
また、第１構成部材１１、第２構成部材１２及び第３構成部材１３は、何れも洗浄されているため、一層、生地３３の糸が立ち上がっており、掃除具１０の清掃機能が向上する。さらに、掃除具１０は、図１（Ｂ）及び図２（Ａ）のように、２枚の第１構成部材１１と、２枚の第２構成部材１２と、２枚の第３構成部材１３とが重ね合わされている。
【００２７】
本体１０Ａは、先端部３６、中央部３７、後端部３８を有する。先端部３６、中央部３７、後端部３８は、管楽器の部品に対する挿入方向Ｂ１で異なる位置に設けられている。先端部３６は、管楽器の部品に対する挿入方向Ｂ１で先端に位置する。中央部３７は、管楽器の部品に対する挿入方向Ｂ１で先端部３６より後方に位置する。後端部３８は、管楽器の部品に対する挿入方向Ｂ１で中央部３７より後方に位置する。
【００２８】
先端部３６は、２枚の第３構成部材１３の間に２枚の第２構成部材１２が設けられ、２枚の第２構成部材１２の間に２枚の第１構成部材１１が設けられている。中央部３７は、２枚の第２構成部材１２の間に２枚の第１構成部材１１が設けられている。後端部３８は、２枚の第１構成部材１１で構成されている、このため、先端部３６の厚さＴ１は、中央部３７の厚さＴ２を超え、中央部３７の厚さＴ２は、後端部３８の厚さＴ３を超えている。したがって、本体１０Ａの先端部３６で部品の内面を擦った場合の摩擦力が増加し、掃除具１０の清掃機能が向上する。
【００２９】
本実施形態に係る管楽器用掃除具は、実施形態で図面を用いて説明したものに限定されない。例えば、第１構成部材、第２構成部材及び第３構成部材の平面形状は、四角形に限定されない。また、第１構成部材、第２構成部材及び第３構成部材をそれぞれ重ねる枚数は、限定されない。さらに、第１構成部材、第２構成部材及び第３構成部材の長縁及び短縁の寸法は、任意に変更可能である。
【００３０】
さらに、掃除具で清掃される管楽器は、フルートに限定されず、掃除具は、トランペット、ホルン、トロンボーン等を清掃する掃除具であってもよい。この場合、第１構成部材、第２構成部材、第３構成部材の平面形状、各部の寸法等は、清掃対象である管楽器の大きさ、形状に応じて任意に変更可能である。また、掃除棒の材質、形状、長さも、清掃対象である管楽器の大きさ、形状に応じて任意に変更可能である。
【００３１】
本実施形態で説明した事項の技術的意味の一例は、次の通りである。掃除具１０は、管楽器用掃除具の一例であり、本体１０Ａは、本体の一例である。第１構成部材１１は、第１構成部材の一例である。第２構成部材１２は、第２構成部材の一例である。第３構成部材１３は、第３構成部材の一例である。縫合部２１，２４は、縫合部の一例である。生地３３は、生地の一例である。たて糸３４は、たて糸の一例であり、よこ糸３５は、よこ糸の一例である。長縁１４，１６，１８、及び短縁１５，１７，１９は、それぞれ「外縁」の一例である。方向Ａ１は、第１方向の一例であり、方向Ａ２は、第２方向の一例である。
【符号の説明】
【００３２】
１０…掃除具、１０Ａ…本体、１１…第１構成部材、１２…第２構成部材、１３…第３構成部材、１４，１６，１８…長縁、１５，１７，１９…短縁、２１，２４…縫合部、３３…生地、３４…たて糸、３５…よこ糸、Ａ１…第１方向、Ａ２…第２方向
【図１】
0003232071.tif 000003
【図２】
0003232071.tif 000004
【図３】
0003232071.tif 000005
【図４】
0003232071.tif 000006
【図５】
0003232071.tif 000007